(57)【要約】【課題】コストを削減できる電子レンジを提供する。【解決手段】金属壁面を有して調理物を収納する加熱室３と、調理物を加熱するマイクロ波を発生するマグネトロン６と、発光素子２３を有して金属壁面に開口した貫通孔１１を介して加熱室３内を照らす照明部３０とを備え、貫通孔１１の周縁に立設する立設部１１ａを設けた。【選択図】図６
2013257061.tif 000002
【特許請求の範囲】
【請求項１】
金属壁面を有して調理物を収納する加熱室と、調理物を加熱するマイクロ波を発生するマグネトロンと、発光素子を有して前記金属壁面に開口した貫通孔を介して前記加熱室内を照らす照明部とを備え、前記貫通孔の周縁に立設する立設部を設けたことを特徴とする電子レンジ。
【請求項２】
前記貫通孔の孔径が前記発光素子の外形寸法よりも大きいことを特徴とする請求項１に記載の電子レンジ。
【請求項３】
前記発光素子が前記貫通孔内に配置されることを特徴とする請求項２に記載の電子レンジ。
【請求項４】
前記貫通孔の前記発光素子に面した端面と前記発光素子との距離をＬ、前記貫通孔の孔径をｄ、前記発光素子の指向角を２θとしたときに、ｔａｎθ≦ｄ／２Ｌを満たすことを特徴とする請求項１または請求項２に記載の電子レンジ。
【請求項５】
前記貫通孔の軸方向長さに対する孔径の比を０．６４以下にしたことを特徴とする請求項１〜請求項４のいずれかに記載の電子レンジ。
【請求項６】
前記立設部がバーリング加工により形成されることを特徴とする請求項１〜請求項５のいずれかに記載の電子レンジ。
【発明の詳細な説明】
【技術分野】
【０００１】
本発明は加熱室内を照明する照明部を備えた電子レンジに関する。
【背景技術】
【０００２】
従来の電子レンジは特許文献１に開示される。この電子レンジは前面を開口して調理物を収納する加熱室を有した本体部と、窓部を有して加熱室の前面を開閉する扉とを備えている。本体部内にはマイクロ波を発生するマグネトロンが設けられる。マグネトロンの駆動によって加熱室内にマイクロ波を供給し、調理物の加熱調理が行われる。
【０００３】
本体部内の加熱室の上方には加熱室内の照明を行う照明部が配置される。照明部は基板上に所定ピッチで並設される複数のＬＥＤから成る発光素子を有している。加熱室の天面の壁面板には発光素子と同じピッチで貫通孔が開口する。発光素子の発光によって貫通孔を介して照明光が加熱室に照射され、加熱室内の照明が行われる。これにより、窓部を介して調理の進行状況等を使用者が視認することができる。
【先行技術文献】
【特許文献】
【０００４】
【特許文献１】特開２００３−１３９３３６号公報（第２頁〜第３頁、第１図）
【発明の概要】
【発明が解決しようとする課題】
【０００５】
しかしながら、上記従来の電子レンジによると、加熱室の壁面板に開口する貫通孔はマイクロ波の電波漏れを防止するために所定径の小孔により形成される。このため、発光素子から出射される光が貫通孔の周囲で遮られ、照明光の光量が低下する。これにより、加熱室の内部の視認性を確保するために必要な発光素子が増加し、電子レンジのコストが大きくなる問題があった。
【０００６】
本発明は、コストを削減できる電子レンジを提供することを目的とする。
【課題を解決するための手段】
【０００７】
上記目的を達成するために本発明は、金属壁面を有して調理物を収納する加熱室と、調理物を加熱するマイクロ波を発生するマグネトロンと、発光素子を有して前記金属壁面に開口した貫通孔を介して前記加熱室内を照らす照明部とを備え、前記貫通孔の周縁に立設する立設部を設けたことを特徴としている。
【０００８】
この構成によると、加熱室内に調理物を収納してマグネトロンが駆動されると、調理が行われる。調理中に照明部の発光素子が発光し、貫通孔を介して加熱室内に照明光が照射される。これにより、調理の進行状況等が使用者に視認される。また、貫通孔の周縁に立設する立設部によってマイクロ波の電波漏れが防止される。
【０００９】
また本発明は、上記構成の電子レンジにおいて、前記貫通孔の孔径が前記発光素子の外形寸法よりも大きいことを特徴としている。この構成によると、発光素子から出射して貫通孔の周囲の壁面板に照射される光が低減される。
【００１０】
また本発明は、上記構成の電子レンジにおいて、前記発光素子が前記貫通孔内に配置されることを特徴としている。
【００１１】
また本発明は、上記構成の電子レンジにおいて、前記貫通孔の前記発光素子に面した端面と前記発光素子との距離をＬ、前記貫通孔の孔径をｄ、前記発光素子の指向角を２θとしたときに、ｔａｎθ≦ｄ／２Ｌを満たすことを特徴としている。この構成によると、発光素子の指向角の範囲の出射光が貫通孔内に導かれる。
【００１２】
また本発明は、上記構成の電子レンジにおいて、前記貫通孔の軸方向長さに対する孔径の比を０．６４以下にしたことを特徴としている。この構成によると、出力が５００Ｗ以下のマグネトロンから発生するマイクロ波の貫通孔からの電波漏れが５ｍＷよりも小さくなる。
【００１３】
また本発明は、上記構成の電子レンジにおいて、前記立設部がバーリング加工により形成されることを特徴としている。
【発明の効果】
【００１４】
本発明によると、加熱室の壁面板に開口する貫通孔に発光素子が臨み、貫通孔の周縁に立設する立設部を形成したので、マイクロ波の電波漏れを防止して貫通孔の孔径を大きくすることができる。これにより、発光素子から貫通孔を介して照射される照明光の光量が増加し、発光素子を削減して電子レンジのコストを削減することができる。
【図面の簡単な説明】
【００１５】
【図１】本発明の実施形態の電子レンジを示す斜視図
【図２】本発明の実施形態の電子レンジの本体部を示す正面断面図
【図３】本発明の実施形態の電子レンジの内部を示す斜視図
【図４】本発明の実施形態の電子レンジの加熱室の天井の壁面板を示す平面図
【図５】図４のＡ−Ａ断面図
【図６】図５のＢ部詳細図
【発明を実施するための形態】
【００１６】
＜第１実施形態＞
以下に本発明の実施形態を図面を参照して説明する。図１は一実施形態の電子レンジを示す斜視図である。電子レンジ１は調理物を収納する加熱室３を有した本体部２と、本体部２に枢支して加熱室３を開閉する扉４とを備えている。扉４には加熱室３内を視認する窓部４ａが設けられる。本体部２の上部には操作パネル５が設けられる。
【００１７】
図２は電子レンジ１の本体部２の正面断面図を示している。本体部２内の加熱室３の側方にはマイクロ波を発生するマグネトロン６が配される。加熱室３の下方にはマイクロ波を導波する導波管７が設けられ、導波管７内にはアンテナ８が配される。アンテナ８はアンテナモータ８ａにより回転し、マイクロ波を攪拌して加熱室３にマイクロ波を均一に供給する。
【００１８】
図３は本体部２の内部の斜視図を示している。加熱室３は金属壁面を有し、加熱室３の天井壁を形成する壁面板１０の後部には多数の通気孔１２が開口する。調理時に調理物から発生する水蒸気は通気孔１２を介して加熱室３から流出し、本体部２外に排気される。
【００１９】
図４は壁面板１０の平面図を示しており、図５は図４のＡ−Ａ断面図を示している。壁面板１０には加熱室３（図２参照）の内部に面した平面視略矩形の凹部１０ａが形成される。凹部１０ａの周壁１０ｂは傾斜面により形成される。凹部１０ａの前面の周壁１０ｂには左右方向の略中央部に加熱室３内を照らす照明部２０が設けられる。
【００２０】
図６は図５のＢ部詳細図を示している。照明部２０はＬＥＤから成る発光素子２３を実装した基板２２を備えている。発光素子２３は透明樹脂から成る封止材２４により封止される。基板２２は樹脂成形品から成るホルダ２１により保持され、ホルダ２１は壁面板１０に取り付けられる。
【００２１】
発光素子２３は壁面板１０上の凹部１０ａの周壁１０ｂに開口する貫通孔１１に臨んで配置される。貫通孔１１の周縁にはバーリング加工によって筒状に立設する立設部１１ａが形成される。発光素子２３の出射光は矢印Ｅに示すように貫通孔１１を介して加熱室３内に照射される。これにより、扉４の窓部４ａを介して調理物の状態を視認することができる。この時、照明部２０が加熱室３の上面前部に配置され、貫通孔１１を介して斜め後方に向けて照明光が照射されるため、調理物の視認性を向上することができる。
【００２２】
また、立設部１１ａによって貫通孔１１によるマイクロ波Ｆの減衰量を大きくすることができる。このため、貫通孔１１の孔径ｄを大きくしてもマイクロ波Ｆの電波漏れを防止することができる。従って、発光素子２３から貫通孔１１を介して照射される照明光の光量を増加させることができる。
【００２３】
この時、貫通孔１１の孔径ｄ、貫通孔１１の軸方向の長さｔ及びマイクロ波Ｆの減衰量Ｓ（ｄＢ）には式（１）の関係がある。
【００２４】
Ｓ＝３２ｔ／ｄ      ・・・（１）
【００２５】
マグネトロン６の出力を５００Ｗとして電波漏れの規格を５ｍＷとすると、必要な減衰量Ｓは１０・ｌｏｇ（５００／０．００５）＝５０ｄＢとなる。このため、式（１）より、貫通孔１１の軸方向長さｔに対する孔径ｄの比を０．６４（＝３２／５０）以下にすると、出力が５００Ｗ以下のマグネトロン６に対する電波漏れの規格を満たすことができる。
【００２６】
また、マグネトロン６の出力を１０００Ｗとして電波漏れの規格を５ｍＷとすると、必要な減衰量Ｓは１０・ｌｏｇ（１０００／０．００５）＝５３ｄＢとなる。このため、式（１）より、貫通孔１１の軸方向長さｔに対する孔径ｄの比を０．６０（＝３２／５３）以下にすると、出力が１０００Ｗ以下のマグネトロン６に対する電波漏れの規格を満たすことができる。
【００２７】
また、貫通孔１１の孔径ｄが発光素子２３の外形寸法よりも大きいと、発光素子２３から出射して貫通孔１１の周囲で遮られる光を低減することができる。これにより、照明光の光量をより増加させることができる。尚、発光素子２３の外形寸法は、発光素子２３の平面形状が円形の場合は直径、楕円形の場合は長径、矩形の場合は対角線で表すことができる。
【００２８】
また、貫通孔１１の孔径をｄ、貫通孔１１の発光素子２３に面した端面と発光素子２３との距離をＬ、発光素子２３の指向角を２θとしたときに、式（２）を満たすとより望ましい。これにより、発光素子２３の指向角２θの範囲の出射光を貫通孔１１内に確実に導くことができ、照明光の光量を更に増加させることができる。
【００２９】
ｔａｎθ≦ｄ／２Ｌ    ・・・（２）
【００３０】
上記構成の電子レンジ１において、加熱室３内に調理物を収納して扉４が閉じられ、調理が開始されるとマグネトロン６及び照明部２０が駆動される。マグネトロン６により発生したマイクロ波は導波管７を導波し、アンテナ８によって攪拌されて加熱室３に供給される。これにより、加熱室３内の調理物が加熱調理される。
【００３１】
また、照明部２０の駆動によって発光素子２３が発光し、発光素子２３の出射光が貫通孔１１を介して加熱室３内に照射される。使用者は窓部４ａを介して加熱室３内を視認し、調理が行われているか否かを判別するとともに調理の進行状況を認知することができる。
【００３２】
本実施形態によると、加熱室３の壁面板１０に開口する貫通孔１１に発光素子２３が臨み、貫通孔１１の周縁に立設する立設部１１ａを形成したので、マイクロ波の電波漏れを防止して貫通孔１１の孔径ｄを大きくすることができる。これにより、発光素子２３から貫通孔１１を介して照射される照明光の光量が増加し、発光素子２３を削減して電子レンジ１のコストを削減することができる。
【００３３】
また、貫通孔１１の孔径ｄを発光素子２３の外形寸法よりも大きくすると、照明光の光量をより増加させることができる。この時、発光素子２３を貫通孔１１の内部に配置してもよい。これにより、発光素子２３の出射光が確実に貫通孔１１内を通るため、照明光の光量を更に増加させることができる。
【００３４】
また、貫通孔１１の発光素子２３に面した端面と発光素子２３との距離をＬ、貫通孔１１の孔径をｄ、発光素子２３の指向角を２θとしたときに、式（２）を満たすと、照明光の光量を更に増加させることができる。
【００３５】
また、貫通孔１１の軸方向長さｔに対する孔径ｄの比を０．６４以下にすると、出力が５００Ｗ以下のマグネトロン６に対して電波漏れの規格を満たすことができる。また、貫通孔１１の軸方向長さｔに対する孔径ｄの比を０．６０以下にすると、出力が１０００Ｗ以下のマグネトロン６に対して電波漏れの規格を満たすことができる。
【００３６】
また、バーリング加工によって貫通孔１１の周縁に立設する立設部１１ａを容易に形成することができる。
【００３７】
本実施形態において、貫通孔１１の立設部１１ａが加熱室３の外側に突出しているが、加熱室３の内部に向けて突出してもよい。
【産業上の利用可能性】
【００３８】
本発明によると、加熱室内を照明する照明部を備えた電子レンジに利用することができる。
【符号の説明】
【００３９】
１    電子レンジ
２    本体部
３    加熱室
４    扉
４ａ  窓部
５    操作パネル
６    マグネトロン
７    導波管
８    アンテナ
１０    壁面板
１１    貫通孔
１１ａ  立設部
２０    照明部
２１    ホルダ
２２    基板
２３    発光素子
２４    封止材
【図１】
2013257061.tif 000003
【図２】
2013257061.tif 000004
【図５】
2013257061.tif 000005
【図６】
2013257061.tif 000006
【図３】
2013257061.tif 000007
【図４】
2013257061.tif 000008